(57)【要約】      （修正有）【課題】フラップが起き上がり難い組立箱を提供する。【解決手段】予め定められた形状に切断されたシート材３を折り曲げることにより組立可能な組立箱であって、第１乃至第４の側壁部５、７、９、１１と、底板部と、第１乃至第４の側壁部のそれぞれにおいて、底板部とは反対側の辺に連設された第１乃至第４のフラップ２１、２３、２５、２７とを備え、第１乃至第４のフラップのうち、組立箱を組み立てたときに対向する２つのフラップ２１、２５は、それぞれ、底板部とは反対側の辺に交差する２辺２１ｂ、２１ｃ、２５ｂ、２５ｃに突出部２１ｅ、２１ｆ、２５ｅ、２５ｆを備え、第１乃至第４のフラップのうち、２つのフラップを除くフラップ２３、２７は、底板部とは反対側の辺に交差する２辺２３ｅ、２３ｆ、２７ｅ、２７ｆにおいて、第１乃至第４のフラップを第１乃至第４の側壁部の内側に折り込んだときに突出部を収容する切欠部２３ｅ、２３ｆ、２７ｅ、２７ｆを備える。【選択図】図１
0003165647.tif 000002
【実用新案登録請求の範囲】
【請求項１】
予め定められた形状に切断されたシート材を折り曲げることにより組立可能な組立箱であって、
第１乃至第４の側壁部と、
底板部と、
前記第１乃至第４の側壁部のそれぞれにおいて、前記底板部とは反対側の辺に連設された第１乃至第４のフラップと、
を備え、
前記第１乃至第４のフラップのうち、前記組立箱を組み立てたときに対向する２つのフラップは、それぞれ、前記底板部とは反対側の辺に交差する２辺に突出部を備え、
前記第１乃至第４のフラップのうち、前記２つのフラップを除くフラップは、前記底板部とは反対側の辺に交差する２辺において、前記第１乃至第４のフラップを前記第１乃至第４の側壁部の内側に折り込んだときに前記突出部を収容する切欠部を備えることを特徴とする組立箱。
【請求項２】
前記２つのフラップは、それらが連設される前記側壁部とは反対側に、ミシン目に沿って切り取り可能な領域を備え、
前記２つのフラップは、前記切り取り可能な領域が残っている状態では、前記組立箱の天板を構成可能であり、前記切り取り可能な領域が切り取られた状態では、前記側壁部の内側に折り込み可能であることを特徴とする請求項１記載の組立箱。
【考案の詳細な説明】
【技術分野】
【０００１】
本考案は、例えば青果物、飲料容器、工業部品、機械部品等を収納又は運搬するための組立箱に関する。
【背景技術】
【０００２】
従来、予め定められた形状に切断されたシート材を定められた折線に沿って折り曲げることにより組立可能な組立箱が知られている（特許文献１）。
このような組立箱Ｐ１としては、図６に示すように、側壁Ｐ３の内側にフラップＰ５を折り込むことで、上方が開放されたトレー状の形状を有するものがある。
【先行技術文献】
【特許文献】
【０００３】
【特許文献１】特開平９−１２０２０号公報
【考案の概要】
【考案が解決しようとする課題】
【０００４】
図６に示すような組立箱Ｐ１では、内側に折り込んでおいたフラップＰ５が起き上がってしまうことがある（図６において点線で示す状態）。この場合、組立箱１の中に商品を入れる作業等において、起き上がったフラップＰ５が邪魔になってしまう。
【０００５】
本考案は以上の点に鑑みなされたものであり、フラップが起き上がり難い組立箱を提供することを目的とする。
【課題を解決するための手段】
【０００６】
本考案の組立箱は、予め定められた形状に切断されたシート材を折り曲げることにより組立可能な組立箱であって、第１乃至第４の側壁部と、底板部と、前記第１乃至第４の側壁部のそれぞれにおいて、前記底板部とは反対側の辺に連設された第１乃至第４のフラップと、を備え、前記第１乃至第４のフラップのうち、前記組立箱を組み立てたときに対向する２つのフラップは、それぞれ、前記底板部とは反対側の辺に交差する２辺に突出部を備え、前記第１乃至第４のフラップのうち、前記２つのフラップを除くフラップは、前記底板部とは反対側の辺に交差する２辺において、前記第１乃至第４のフラップを前記第１乃至第４の側壁部の内側に折り込んだときに前記突出部を収容する切欠部を備えることを特徴とする。
【０００７】
本考案の組立箱では、第１乃至第４のフラップを第１乃至第４の側壁部の内側に折り込んだとき、前記２つのフラップが備える突出部が、前記２つのフラップを除くフラップに形成された切欠部に収容される。そのため、内側に折り込まれた第１乃至第４のフラップは、相互に係合され、その状態で固定される。結果として、第１乃至第４のフラップが不本意に起き上がってしまうようなことがない。
【０００８】
前記２つのフラップは、それらが連設される前記側壁部とは反対側に、ミシン目に沿って切り取り可能な領域を備え、前記２つのフラップは、前記切り取り可能な領域が残っている状態では、前記組立箱の天板を構成可能であり、前記切り取り可能な領域が切り取られた状態では、前記側壁部の内側に折り込み可能であることが好ましい。
【０００９】
こうすることにより、本考案の組立箱は、前記２つのフラップにより蓋をすることも可能であるし、上面が開放されたトレー状の容器とすることも可能となる。
前記シート材の材質として、例えば、プラスチック等の樹脂材料、厚紙等の紙材料、段ボール等が挙げられる。段ボールを用いると、組立箱の強度が高くなるとともに、折り曲げ、切断等の加工が容易になる。
【００１０】
前記シート材には、組立箱を組み立てる際に折り曲げる部分に、予め折線を設けておくことができる。こうすることにより、組立箱の正確な組み立てが容易になる。
本考案の組立箱は、例えば、種々の物品（例えば、トマト等の野菜、果物等）の包装箱として使用できる。
【００１１】
前記ミシン目とは、１つの直線又は曲線に沿って、破線状に（断続的に）設けた孔である。
【図面の簡単な説明】
【００１２】
【図１】領域２１ｈ、２５ｈが残った状態におけるシート材３を表す展開図である。
【図２】領域２１ｈ、２５ｈが切り取られた状態におけるシート材３を表す展開図である。
【図３】領域２１ｈ、２５ｈが残った状態における組立箱１を表す斜視図である。
【図４】領域２１ｈ、２５ｈが切り取られた状態における組立箱１を表す斜視図である。
【図５】突出部２１ｅが切欠部２７ｆに差し込まれた状態を表す説明図である。
【図６】従来の組立箱を表す斜視図である。
【考案を実施するための形態】
【００１３】
本考案の実施形態を図面に基づき説明する。
１．シート材３の構成
まず、シート材３の構成を図１に基づいて説明する。図１は、組み立てれば組立箱１となるシート材３を表す展開図である。シート材３は、段ボールからなり、図１に示すような形状に予め裁断されている。また、組立箱１を作成する際に折り曲げる部分には、折り曲げやすいように折れ目や切れ目が設けられている。
【００１４】
シート材３は、第１の側壁部５、第２の側壁部７、第３の側壁部９、第４の側壁部１１（以下、４つの側壁部ともいう）を備えている。これらはそれぞれ矩形であり、一列に並んで形成されている。
【００１５】
また、シート材３は、第１の底板部１３、第２の底板部１５、第３の底板部１７、第４の底板部１９を備えている。これらは、それぞれ、４つの側壁部における一方（図１では下側）の辺に連設されている。
【００１６】
また、シート材３は、第１のフラップ２１、第２のフラップ２３、第３のフラップ２５、第４のフラップ２７を備えている。これらはそれぞれ略矩形であり、４つの側壁部における前記一方とは反対側（図１では上側）の辺に連設されている。第１のフラップ２１と第３のフラップ２５は、組立箱１を組み立てたときに対向する。また、第２のフラップ２３と第４のフラップ２７は、組立箱１を組み立てたときに対向する。
【００１７】
第１のフラップ２１において、第１の側壁部５と接続している辺を、辺２１ａ（底板部とは反対側の辺）とする。また、第１のフラップ２１において、辺２１ａと交差する２辺を、それぞれ、辺２１ｂ、辺２１ｃとする。また、第１のフラップ２１において、辺２１ａと対向する辺を辺２１ｄとする。第１のフラップ２１は、辺２１ｂ、辺２１ｃのうち、辺２１ｄに近い側において、周囲よりも外側（図１における左右方向）に突出する突出部２１ｅ、２１ｆを備えている。また、第１のフラップ２１は、辺２１ｄに近い側に、辺２１ｄと平行に、第１のフラップ２１を横断するミシン目２１ｇを備えている。第１のフラップ２１は、このミシン目２１ｇに沿って、ミシン目２１ｇよりも外側（図１では上側）の領域２１ｈを切り取ることができる。なお、領域２１ｈを切り取った後でも、突出部２１ｅ、２１ｆの一部は第１のフラップ２１に残るようになっている。
【００１８】
第３のフラップ２５において、第３の側壁部９と接続している辺を、辺２５ａ（底板部とは反対側の辺）とする。また、第３のフラップ２５において、辺２５ａと交差する２辺を、それぞれ、辺２５ｂ、辺２５ｃとする。また、第３のフラップ２５において、辺２５ａと対向する辺を辺２５ｄとする。第３のフラップ２５は、辺２５ｂ、辺２５ｃのうち、辺２５ｄに近い側において、周囲よりも外側（図１における左右方向）に突出する突出部２５ｅ、２５ｆを備えている。また、第３のフラップ２５は、辺２５ｄに近い側に、辺２５ｄと平行に、第３のフラップ２５を横断するミシン目２５ｇを備えている。第３のフラップ２５は、このミシン目２５ｇに沿って、ミシン目２５ｇよりも外側（図１では上側）の領域２５ｈを切り取ることができる。なお、領域２５ｈを切り取った後でも、突出部２５ｅ、２５ｆの一部は第３のフラップ２５に残るようになっている。
【００１９】
第２のフラップ２３において、第２の側壁部７と接続している辺を、辺２３ａ（底板部とは反対側の辺）とする。また、第２のフラップ２３において、辺２３ａと交差する２辺を、それぞれ、辺２３ｂ、辺２３ｃとする。また、第２のフラップ２３において、辺２３ａと対向する辺を辺２３ｄとする。第２のフラップ２３は、辺２３ｂ、辺２３ｃのうち、辺２３ｄに近い側において、周囲よりも内側（図１における左右方向）に入り込んだ切欠部２３ｅ、２３ｆを備えている。
【００２０】
第４のフラップ２７において、第４の側壁部１１と接続している辺を、辺２７ａ（底板部とは反対側の辺）とする。また、第４のフラップ２７において、辺２７ａと交差する２辺を、それぞれ、辺２７ｂ、辺２７ｃとする。また、第４のフラップ２７において、辺２７ａと対向する辺を辺２７ｄとする。第４のフラップ２７は、辺２７ｂ、辺２７ｃのうち、辺２７ｄに近い側において、周囲よりも内側（図１における左右方向）に入り込んだ切欠部２７ｅ、２７ｆを備えている。
【００２１】
図２に、上述した領域２１ｈ、及び領域２５ｈを切り取った状態のシート材３を示す。
２．組立箱１の構成
図３に、シート材３を折り曲げて形成した、略直方体形状を有する組立箱１（領域２１ｈ、及び領域２５ｈが切り取られずに残っている状態）を示す。
【００２２】
シート材３における４つの側壁部が、組立箱１の側壁（図３において垂直に立っている４面）を構成している。また、図３では表れていないが、シート材３における第１の底板部１３、第２の底板部１５、第３の底板部１７、第４の底板部１９が組立箱１の底板（図３における下面）を構成している。
【００２３】
また、シート材３における第１のフラップ２１、及び第３のフラップ２５が組立箱１の天板（図３における上面）を構成している。具体的には、第１のフラップ２１と第３のフラップ２５とがそれぞれ水平方向に倒され、第１のフラップ２１の辺２１ｄと第３のフラップ２５の辺２５ｄとが当接することにより、組立箱１の天板を構成している。すなわち、領域２１ｈ、及び領域２５ｈが切り取られずに残っている状態において、第１のフラップ２１における辺２１ｂ、２１ｃの長さ、及び第３のフラップ２５における辺２５ｂ、２５ｃの長さは、図３に示すように第１のフラップ２１と第３のフラップ２５とを水平方向に倒したとき、第１のフラップ２１の辺２１ｄと第３のフラップ２５の辺２５ｄとが当接する長さとなっている。
【００２４】
なお、第２のフラップ２３と第４のフラップ２７は、組立箱１における側壁の内側に折り込まれていてもよいし、第１のフラップ２１、及び第３のフラップ２５の内側（下側）において、水平方向に張り出していてもよい。
【００２５】
図４に、シート材３を折り曲げて形成した組立箱１（領域２１ｈ、及び領域２５ｈを切り取り、第１のフラップ２１、第２のフラップ２３、第３のフラップ２５、第４のフラップ２７を内側に折り込んだ状態）を示す。
【００２６】
第１のフラップ２１のうち、領域２１ｈはミシン目２１ｇに沿って切り取られている。第１のフラップ２１は、第１の側壁部５の内側に折り込まれており、ミシン目２１ｇが組立箱１の底板に達している。すなわち、領域２１ｈを切り取った状態において、辺２１ｂ、２１ｃの長さは、第１のフラップ２１を内側に折り込んだとき、ミシン目２１ｇが組立箱１の底板に達する長さとなっている。突出部２１ｅは、組立箱１の底面付近にあり、内側に折り込まれた第４のフラップ２７の方向に張り出している。また、突出部２１ｆも、組立箱１の底面付近にあり、内側に折り込まれた第２のフラップ２３の方向に張り出している。
【００２７】
また、図４では表されていないが、第３のフラップ２５についても、第１のフラップ２１の場合と同様に、領域２５ｈがミシン目２５ｇに沿って切り取られており、第３の側壁部９の内側に折り込まれている。そして、ミシン目２５ｇが組立箱１の底板に達している。すなわち、領域２５ｈを切り取った状態において、辺２５ｂ、２５ｃの長さは、第３のフラップ２５を内側に折り込んだとき、ミシン目２５ｇが組立箱１の底板に達する長さとなっている。また、突出部２５ｅは、組立箱１の底面付近にあり、内側に折り込まれた第２のフラップ２３の方向に張り出している。また、突出部２５ｆも、組立箱１の底面付近にあり、内側に折り込まれた第４のフラップ２７の方向に張り出している。
【００２８】
また、第４のフラップ２７は、第４の側壁部１１の内側に折り込まれており、辺２７ｄが組立箱１の底板に達している。第４のフラップ２７に形成された切欠部２７ｆは、組立箱１の底面付近にあり、内側に折り込まれた第１のフラップ２１に設けられた突出部２１ｅに隣接している。また、切欠部２７ｅは、組立箱１の底面付近にあり、内側に折り込まれた第３のフラップ２５に設けられた突出部２５ｆ（図４では図示略）に隣接している。
【００２９】
また、図４では表されていないが、第２のフラップ２３も、第４のフラップ２７の場合と同様に、第２の側壁部７の内側に折り込まれており、辺２３ｄが組立箱１の底板に達している。そして、第２のフラップに形成された切欠部２３ｅ、２３ｆも、組立箱１の底面付近にあり、内側に折り込まれた隣接するフラップに形成された突出部に対向している。
【００３０】
第１のフラップ２１、第２のフラップ２３、第３のフラップ２５、及び第４のフラップ２７が上記のように折り込まれている状態において、図４、図５に示すように、第１のフラップ２１の突出部２１ｅは、第４のフラップ２７の切欠部２７ｆに差し込まれる。
【００３１】
また、同様に、第１のフラップ２１の突出部２１ｆは、第２のフラップ２３の切欠部２３ｅに差し込まれ、第３のフラップ２５の突出部２５ｅは第２のフラップ２３の切欠部２３ｆに差し込まれ、第３のフラップ２５の突出部２５ｆは第４のフラップ２７の切欠部２７ｅに差し込まれる。
【００３２】
３．組立箱１が奏する効果
（１）組立箱１は、図３に示すように、第１のフラップ２１、第３のフラップ２５における領域２１ｈ、領域２５ｈを残した状態で、第１のフラップ２１、第３のフラップ２５により蓋をすることができる。
【００３３】
一方、第１のフラップ２１、第３のフラップ２５における領域２１ｈ、領域２５ｈを切り取れば、図４に示すように、第１のフラップ２１、第２のフラップ２３、第３のフラップ２５、及び第４のフラップ２７を内側に折り込み、上面が開放されたトレー状の容器とすることができる。
（２）組立箱１では、第１のフラップ２１、第２のフラップ２３、第３のフラップ２５、及び第４のフラップ２７をそれぞれ内側に折り込んだとき、第１のフラップ２１、第３のフラップ２５に形成された突出部が、隣接するフラップの切欠部に差し込まれる。そのため、内側に折り込まれた４つのフラップは、相互に係合され、その状態で固定される。その結果、内側に折り込まれた第１のフラップ２１、第２のフラップ２３、第３のフラップ２５、及び第４のフラップ２７が不本意に起き上がってしまうようなことがない。
【００３４】
尚、本考案は前記実施の形態になんら限定されるものではなく、本考案を逸脱しない範囲において種々の態様で実施しうることはいうまでもない。
例えば、突出部２１ｅ、２１ｆ、２５ｅ、２５ｆの形状は、図１等に示すような四角形には限定されず、任意の形状とすることができる。例えば、三角形、半球等の形状とすることができる。
【００３５】
また、第１のフラップ２１における辺２１ｂ、２１ｃの長さ（領域２１ｇが残っている状態）と、第２のフラップ２５における辺２５ｂ、２５ｃの長さ（領域２５ｇが残っている状態）とは、等しくなくてもよく、一方が他方よりも長くてもよい。
【００３６】
また、シート材３の構成は図１、図２に示すものには限定されず、組立箱１を形成することができれば、任意のものであってもよい。シート材３は、例えば、１つの底面部の４辺にそれぞれ側壁部が連設され、その側壁部にさらにフラップが連設されているものであってもよい。
【符号の説明】
【００３７】
１・・・組立箱、３・・・シート材、５・・・第１の側壁部、７・・・第２の側壁部、
９・・・第３の側壁部、１１・・・第４の側壁部、１３・・・第１の底板部、
１５・・・第２の底板部、１７・・・第３の底板部、１９・・・第４の底板部、
２１・・・第１のフラップ、２１ａ、２１ｂ、２１ｃ、２１ｄ・・・辺、
２１ｅ、２１ｆ・・・突出部、２１ｇ・・・ミシン目、２１ｈ・・・領域、
２３・・・第２のフラップ、２３ａ、２３ｂ、２３ｃ、２３ｄ・・・辺、
２３ｅ、２３ｆ・・・切欠部、２５・・・第３のフラップ、
２５ａ、２５ｂ、２５ｃ、２５ｄ・・・辺、２５ｅ、２５ｆ・・・突出部、
２５ｇ・・・ミシン目、２５ｈ・・・領域、２７・・・第４のフラップ、
２７ａ、２７ｂ、２７ｃ、２７ｄ・・・辺、２７ｅ、２７ｆ・・・切欠部
【図１】
0003165647.tif 000003
【図２】
0003165647.tif 000004
【図３】
0003165647.tif 000005
【図４】
0003165647.tif 000006
【図５】
0003165647.tif 000007
【図６】
0003165647.tif 000008